(57)【要約】【課題】  ファイルフォーマットの互換性を維持しながら記録中の映像にマークを付与する。【解決手段】  マーク要求部１２０の指示取得部１２１はユーザインターフェース１１０を介してユーザからの指示を取得して、その指示に従ってマークの登録を要求する。イベント取得部１２２は映像の記録の際に発生した所定のイベントを取得して、そのイベントに従ってマークの登録を要求する。マーク登録部１３０はマーク要求部１２０からのマーク登録要求に基づいてマークテーブル７００にマークを登録する。エフェクト処理部１４０はマークテーブル７００に保持されたマークによって挟まれる映像部分を編集単位として、エフェクト処理を施す。エディットリスト作成部１５０はマークテーブル７００に保持されたマークによって定められる映像部分を編集単位としてエディットリストテーブル５７６を生成する。【選択図】      図５
2005303943.tif 000002
【特許請求の範囲】
【請求項１】
映像を記録する映像記録装置であって、
前記映像における区切り位置を保持する区切り位置保持手段と、
前記映像の記録の際に前記区切り位置の登録を要求する区切り位置登録要求手段と、
前記要求に基づいて前記区切り位置保持手段に前記区切り位置を登録する区切り位置登録手段と、
前記区切り位置保持手段に保持された区切り位置によって定められる映像部分を編集単位として生成する編集単位生成手段と
を具備することを特徴とする映像記録装置。
【請求項２】
前記区切り位置登録要求手段は、ユーザからの指示を取得する指示取得手段を備え、前記指示に従って前記区切り位置の登録を要求する
ことを特徴とする請求項１記載の映像記録装置。
【請求項３】
前記区切り位置登録要求手段は、前記映像の記録の際に発生した所定のイベントを取得するイベント取得手段を備え、前記イベントに従って前記区切り位置の登録を要求する
ことを特徴とする請求項１記載の映像記録装置。
【請求項４】
前記イベント取得手段は、前記映像が所定のズーム範囲に収まった旨のイベントを取得する
ことを特徴とする請求項３記載の映像記録装置。
【請求項５】
前記イベント取得手段は、前記映像が所定のズーム範囲に収まった後に所定期間を経過した旨のイベントを取得する
ことを特徴とする請求項３記載の映像記録装置。
【請求項６】
前記イベント取得手段は、前記映像が所定のピント範囲に収まった旨のイベントを取得する
ことを特徴とする請求項３記載の映像記録装置。
【請求項７】
前記イベント取得手段は、前記映像が所定のピント範囲に収まった後に所定期間を経過した旨のイベントを取得する
ことを特徴とする請求項３記載の映像記録装置。
【請求項８】
前記区切り位置保持手段は、前記区切り位置として前記映像の記録開始位置からの相対時刻を保持する
ことを特徴とする請求項１記載の映像記録装置。
【請求項９】
前記区切り位置保持手段に保持された前記区切り位置によって定められる映像部分を単位として映像効果を施す映像効果処理手段
をさらに具備することを特徴とする請求項１記載の映像記録装置。
【請求項１０】
前記編集単位は、前記区切り位置によって互いに挟まれた映像部分として定められる
ことを特徴とする請求項１記載の映像記録装置。
【請求項１１】
前記映像は、ＱｕｉｃｋＴｉｍｅフォーマットにおけるメディアデータアトムとして記録され、
前記編集単位は、前記ＱｕｉｃｋＴｉｍｅフォーマットにおけるエディットリストアトムとして記録される
ことを特徴とする請求項１０記載の映像記録装置。
【請求項１２】
記録対象の映像における区切り位置を保持する区切り位置保持手段を備える映像記録装置において、
記録開始の際に前記区切り位置を前記区切り位置保持手段に登録する手順と、
ユーザからの指示を取得した際に前記区切り位置を前記区切り位置保持手段に登録する手順と、
記録停止の際に前記区切り位置を前記区切り位置保持手段に登録する手順と、
前記区切り位置保持手段に保持された区切り位置によって定められる映像部分を編集単位として生成する手順と
を具備することを特徴とする映像記録方法。
【請求項１３】
記録対象の映像における区切り位置を保持する区切り位置保持手段を備える映像記録装置において、
記録開始の際に前記区切り位置を前記区切り位置保持手段に登録する手順と、
所定のイベントを取得した際に前記区切り位置を前記区切り位置保持手段に登録する手順と、
記録停止の際に前記区切り位置を前記区切り位置保持手段に登録する手順と、
前記区切り位置保持手段に保持された区切り位置によって定められる映像部分を編集単位として生成する手順と
を具備することを特徴とする映像記録方法。
【請求項１４】
記録対象の映像における区切り位置を保持する区切り位置保持手段を備える映像記録装置において、
記録開始の際に前記区切り位置を前記区切り位置保持手段に登録する手順と、
ユーザからの指示を取得した際に前記区切り位置を前記区切り位置保持手段に登録する手順と、
記録停止の際に前記区切り位置を前記区切り位置保持手段に登録する手順と、
前記区切り位置保持手段に保持された区切り位置によって定められる映像部分を編集単位として生成する手順と
をコンピュータに実行させることを特徴とするプログラム。
【請求項１５】
記録対象の映像における区切り位置を保持する区切り位置保持手段を備える映像記録装置において、
記録開始の際に前記区切り位置を前記区切り位置保持手段に登録する手順と、
所定のイベントを取得した際に前記区切り位置を前記区切り位置保持手段に登録する手順と、
記録停止の際に前記区切り位置を前記区切り位置保持手段に登録する手順と、
前記区切り位置保持手段に保持された区切り位置によって定められる映像部分を編集単位として生成する手順と
をコンピュータに実行させることを特徴とするプログラム。
【発明の詳細な説明】
【技術分野】
【０００１】
本発明は、映像記録装置に関し、特に所定の編集単位毎にアクセス可能な形式で映像を記録する映像記録装置、および、その処理方法ならびに当該方法をコンピュータに実行させるプログラムに関する。
【背景技術】
【０００２】
記録再生装置における記録形式の一つとして、ＱｕｉｃｋＴｉｍｅファイルフォーマットが知られている。このＱｕｉｃｋＴｉｍｅファイルフォーマットは、マルチメディアデータを扱うためのファイルフォーマットであり、ビデオデータおよびオーディオデータの実データをメディアデータアトム（ムービーデータともいう。）に保持して、その管理情報をムービーアトム（ムービーリソースともいう。）に保持する。これにより、実データに直接手を加えることなく、ビデオデータおよびオーディオデータを"非破壊的に"編集できるようになっている。
【０００３】
このＱｕｉｃｋＴｉｍｅファイルフォーマットを用いて映像（ビデオデータおよびオーディオデータ）を記録する際、映像に何らかの目印（マーク）をつけておいて、後で編集の際に役立てようとしても、そのようなマークをつけるための機能は仕様上設けられていない。一方、ＱｕｉｃｋＴｉｍｅファイルフォーマットのムービーアトムには、ユーザが定義した情報を保持するユーザデータアトムという領域を設けることができる。そのため、従来は、マークをつけるためにはこのユーザデータアトムを用いてユーザの管理下で行わざるを得なかった。
【０００４】
このユーザデータアトムは、種々の用途で用いられており、例えば、ムービーデータを伝送するためのセッション情報をユーザデータアトムに記録する方法などが提案されている（例えば、特許文献１参照。）。
【特許文献１】特表２００３−５２６２２７号公報（第０１４２段落）
【発明の開示】
【発明が解決しようとする課題】
【０００５】
しかしながら、ユーザデータアトムはユーザの管理下で用いられる独自仕様であり、ファイルフォーマットとしての互換性を維持することができないという問題がある。すなわち、ユーザデータアトムに定義された情報については、何らかの形でその仕様を別途伝えなければ他者は用いることができない。
【０００６】
また、ユーザデータアトムを設けた場合には、本来の情報以外にそれを管理するための情報も必要となり、その管理情報を記録するための領域が余計に消費されるという問題がある。
【０００７】
一方、映像を記録している途中に記録停止および記録再開を繰り返すことにより強制的に映像を区切ることは可能ではあるが、必要以上に記録内容を"破壊的に"区切ることをユーザは望まない。特に、音楽を含むような映像の場合、記録途中の中断は回避することが望ましい。
【０００８】
そこで、本発明は、ファイルフォーマットの互換性を維持しながら記録中の映像にマーク（区切り）を付与することを目的とする。
【課題を解決するための手段】
【０００９】
上記課題を解決するために本発明の請求項１記載の映像記録装置は、映像を記録する映像記録装置であって、上記映像における区切り位置を保持する区切り位置保持手段と、上記映像の記録の際に上記区切り位置の登録を要求する区切り位置登録要求手段と、上記要求に基づいて上記区切り位置保持手段に上記区切り位置を登録する区切り位置登録手段と、上記区切り位置保持手段に保持された区切り位置によって定められる映像部分を編集単位として生成する編集単位生成手段とを具備する。これにより、映像を記録する際に区切り位置が付与され、その区切り位置によって定められる映像部分を編集単位として生成するという作用をもたらす。
【００１０】
また、本発明の請求項２記載の映像記録装置は、請求項１記載の映像記録装置において、上記区切り位置登録要求手段が、ユーザからの指示を取得する指示取得手段を備え、上記指示に従って上記区切り位置の登録を要求するものである。これにより、ユーザからの指示に従って区切り位置が付与されるという作用をもたらす。
【００１１】
また、本発明の請求項３記載の映像記録装置は、請求項１記載の映像記録装置において、上記区切り位置登録要求手段が、上記映像の記録の際に発生した所定のイベントを取得するイベント取得手段を備え、上記イベントに従って上記区切り位置の登録を要求するものである。これにより、所定のイベントに従って区切り位置が付与されるという作用をもたらす。
【００１２】
また、本発明の請求項４記載の映像記録装置は、請求項３記載の映像記録装置において、上記イベント取得手段が、「上記映像が所定のズーム範囲に収まった」旨のイベントを取得するものである。これにより、映像が所定のズーム範囲に収まった際に区切り位置が付与されるという作用をもたらす。
【００１３】
また、本発明の請求項５記載の映像記録装置は、請求項３記載の映像記録装置において、上記イベント取得手段が、「上記映像が所定のズーム範囲に収まった後に所定期間を経過した」旨のイベントを取得するものである。これにより、映像が所定のズーム範囲に収まった後に所定期間を経過した際に区切り位置が付与されるという作用をもたらす。
【００１４】
また、本発明の請求項６記載の映像記録装置は、請求項３記載の映像記録装置において、上記イベント取得手段が、「上記映像が所定のピント範囲に収まった」旨のイベントを取得するものである。これにより、映像が所定のピント範囲に収まった際に区切り位置が付与されるという作用をもたらす。
【００１５】
また、本発明の請求項７記載の映像記録装置は、請求項３記載の映像記録装置において、上記イベント取得手段が、「上記映像が所定のピント範囲に収まった後に所定期間を経過した」旨のイベントを取得するものである。これにより、映像が所定のピント範囲に収まった後に所定期間を経過した際に区切り位置が付与されるという作用をもたらす。
【００１６】
また、本発明の請求項８記載の映像記録装置は、請求項１記載の映像記録装置において、上記区切り位置保持手段が、上記区切り位置として上記映像の記録開始位置からの相対時刻を保持するものである。これにより、映像の記録開始位置からの相対時刻から編集単位を生成させるという作用をもたらす。
【００１７】
また、本発明の請求項９記載の映像記録装置は、請求項１記載の映像記録装置において、上記区切り位置保持手段に保持された上記区切り位置によって定められる映像部分を単位として映像効果を施す映像効果処理手段をさらに具備する。これにより、編集単位を生成する前に映像効果を施すことを可能にするという作用をもたらす。
【００１８】
また、本発明の請求項１０記載の映像記録装置は、請求項１記載の映像記録装置において、上記編集単位が、上記区切り位置によって互いに挟まれた映像部分として定められるものである。これにより、区切り位置保持手段に登録された区切り位置から編集単位を生成させるという作用をもたらす。
【００１９】
また、本発明の請求項１１記載の映像記録装置は、請求項１０記載の映像記録装置において、上記映像がＱｕｉｃｋＴｉｍｅフォーマットにおけるメディアデータアトムとして記録され、上記編集単位が上記ＱｕｉｃｋＴｉｍｅフォーマットにおけるエディットリストアトムとして記録されるものである。これにより、ＱｕｉｃｋＴｉｍｅファイルフォーマットの互換性を維持しながら記録中の映像に区切り位置を付与させるという作用をもたらす。
【００２０】
また、本発明の請求項１２記載の映像記録方法は、記録対象の映像における区切り位置を保持する区切り位置保持手段を備える映像記録装置において、記録開始の際に上記区切り位置を上記区切り位置保持手段に登録する手順と、ユーザからの指示を取得した際に上記区切り位置を上記区切り位置保持手段に登録する手順と、記録停止の際に上記区切り位置を上記区切り位置保持手段に登録する手順と、上記区切り位置保持手段に保持された区切り位置によって定められる映像部分を編集単位として生成する手順とを具備する。これにより、ユーザからの指示に従って区切り位置が付与され、その区切り位置によって定められる映像部分を編集単位として生成するという作用をもたらす。
【００２１】
また、本発明の請求項１３記載の映像記録方法は、記録対象の映像における区切り位置を保持する区切り位置保持手段を備える映像記録装置において、記録開始の際に上記区切り位置を上記区切り位置保持手段に登録する手順と、所定のイベントを取得した際に上記区切り位置を上記区切り位置保持手段に登録する手順と、記録停止の際に上記区切り位置を上記区切り位置保持手段に登録する手順と、上記区切り位置保持手段に保持された区切り位置によって定められる映像部分を編集単位として生成する手順とを具備する。これにより、所定のイベントに従って区切り位置が付与され、その区切り位置によって定められる映像部分を編集単位として生成するという作用をもたらす。
【００２２】
また、本発明の請求項１４記載のプログラムは、記録対象の映像における区切り位置を保持する区切り位置保持手段を備える映像記録装置において、記録開始の際に上記区切り位置を上記区切り位置保持手段に登録する手順と、ユーザからの指示を取得した際に上記区切り位置を上記区切り位置保持手段に登録する手順と、記録停止の際に上記区切り位置を上記区切り位置保持手段に登録する手順と、上記区切り位置保持手段に保持された区切り位置によって定められる映像部分を編集単位として生成する手順とをコンピュータに実行させるものである。これにより、ユーザからの指示に従って区切り位置が付与され、その区切り位置によって定められる映像部分を編集単位として生成するという作用をもたらす。
【００２３】
また、本発明の請求項１５記載のプログラムは、記録対象の映像における区切り位置を保持する区切り位置保持手段を備える映像記録装置において、記録開始の際に上記区切り位置を上記区切り位置保持手段に登録する手順と、所定のイベントを取得した際に上記区切り位置を上記区切り位置保持手段に登録する手順と、記録停止の際に上記区切り位置を上記区切り位置保持手段に登録する手順と、上記区切り位置保持手段に保持された区切り位置によって定められる映像部分を編集単位として生成する手順とをコンピュータに実行させるものである。これにより、所定のイベントに従って区切り位置が付与され、その区切り位置によって定められる映像部分を編集単位として生成するという作用をもたらす。
【発明の効果】
【００２４】
本発明によれば、ファイルフォーマットの互換性を維持しながら記録中の映像にマークを付与するという優れた効果を奏し得る。
【発明を実施するための最良の形態】
【００２５】
次に本発明の実施の形態について図面を参照して詳細に説明する。
【００２６】
図１は、本発明の実施の形態における映像記録装置３００の全体構成例を示す図である。この映像記録装置３００は、レンズ部３１０と、このレンズ部３１０を操作するモーター３１５および３１６と、モータードライバ３１９とを備える。また、映像記録装置３００は、撮像素子３２１と、アナログ処理器３２２と、Ａ／Ｄ変換器３２３と、デジタル処理器３２４と、これらのタイミングを生成するタイミング生成器３２５と、カメラ制御部３２９とを備える。また、映像記録装置３００は、ビデオ符号器３３１と、オーディオ符号器３３２と、ファイル生成器３３３と、ファイル復号器３３４と、ビデオ復号器３３５と、オーディオ復号器３３６と、メモリ３３７と、そのメモリコントローラ３３８と、システム制御部３３９とを備えている。このシステム制御部３３９には、ユーザ入力ボタン３９０からの信号線が接続されている。さらに、映像記録装置３００は、エラー訂正器３４１と、データ変復調器３４２と、磁界変調ドライバ３４３と、磁界ヘッド３４４と、サーボ回路３４５と、モーター３４６と、光ピックアップ３４７と、ドライブ制御部３４９とを備えている。また、この映像記録装置３００には、映像を記録する記録媒体として、例えば光ディスク３７０が装着される。
【００２７】
レンズ部３１０は、被写体からの光を受光するものであり、ズームレンズ３１１およびフォーカスレンズ３１２を含む。ズームレンズ３１１およびフォーカスレンズ３１２にはそれぞれモーター３１５および３１６が接続されており、これらモーター３１５および３１６の駆動によってズームレンズ３１１およびフォーカスレンズ３１２が移動できるようになっている。また、モーター３１５および３１６にはモータードライバ３１９が接続されており、このモータードライバ３１９によってモーター３１５および３１６が制御される。
【００２８】
撮像素子３２１は、レンズ部３１０によって受光された光を静電気に変換して蓄える素子であり、例えば、ＣＣＤ（Charge Coupled Device）やＣＭＯＳ（Complementary Metal Oxide Semiconductor）センサー等が利用される。アナログ処理器３２２は、撮像素子３２１からのアナログ信号におけるノイズを相関二重サンプリング（ＣＤＳ：Correlated Double Sampling）により取り除き、自動利得制御（ＡＧＣ：Automatic Gain Control）によりアナログ信号の高低部分を補正する。Ａ／Ｄ変換器３２３は、アナログ処理器３２２からのアナログ信号をデジタル信号に変換する。デジタル処理器３２４は、ホワイトバランスやガンマ変換等の処理を行う。
【００２９】
デジタル処理器３２４からの出力信号はビデオ符号器３３１のビデオ入力となる。また、このデジタル処理器３２４で検出された情報はカメラ制御部３２９に伝えられる。カメラ制御部３２９は、デジタル処理器３２４で検出された情報に基づいて、モータードライバ３１９およびタイミング生成器３２５に対する制御を行う。タイミング生成器３２５は、撮像素子３２１、アナログ処理器３２２、Ａ／Ｄ変換器３２３およびデジタル処理器３２４に対するタイミング信号を生成する。
【００３０】
ビデオ符号器３３１は、ビデオ信号の符号化を行う。オーディオ符号器３３２は、オーディオ信号の符号化を行う。ファイル生成器３３３は、符号化されたビデオデータおよびオーディオデータを多重化して映像ファイル（多重化データ）を生成する。ファイル復号器３３４は、映像ファイルを復号してビデオデータおよびオーディオデータを出力する。ビデオ復号器３３５は、ビデオデータを復号してビデオ信号を出力する。オーディオ復号器３３６は、オーディオデータを復号してオーディオ信号を出力する。
【００３１】
なお、この図１では、オーディオ符号器３３２の入力信号、ビデオ復号器３３５およびオーディオ復号器３３６の出力信号については省略しているが、それぞれオーディオ入力信号、ビデオ出力信号およびオーディオ出力信号が接続される。
【００３２】
メモリ３３７は、映像ファイルや後述のマークテーブル７００等を保持する。メモリコントローラ３３８は、ファイル生成器３３３やエラー訂正器３４１から供給された多重化データをメモリ３３７に書き込み、また、メモリ３３７から多重化データを読み出してエラー訂正器３４１やファイル復号器３３４に供給する。
【００３３】
システム制御部３３９は、上述のようなメモリコントローラ３３８の動作やファイル生成器３３３およびファイル復号器３３４の動作を制御する。また、システム制御部３３９は、ドライブ制御部３４９と接続してディスクドライブの動作を要求する。また、システム制御部３３９は、カメラ制御部３２９と接続して、オートフォーカスおよびズームの状態として、オートフォーカスがピントを合わせている最中か否かや、焦点距離などを得ることができる。
【００３４】
さらに、システム制御部３３９にはユーザ入力ボタン３９０が接続されており、ユーザからの指示入力を把握することができる。このユーザ入力ボタン３９０としては、例えば、ズーム関係のボタンや記録関係のボタンが設けられている。システム制御部３３９は、カメラ制御部３２９と接続しており、ユーザからの指示入力に応じてズーム等の制御が行われる。
【００３５】
エラー訂正器３４１は、メモリコントローラ３３８からの多重化データにインターリーブおよびエラー訂正のための符号を付加してデータ変復調器３４２に供給する。また、エラー訂正器３４１は、データ変復調器３４２からの復調信号に対してデ・インターリーブおよびエラー訂正処理を行って多重化データをメモリコントローラ３３８に供給する。
【００３６】
データ変復調器３４２は、光ディスク３７０に記録するための所定の変調を施した後、磁界変調ドライバ３４３に出力すると同時に、光ピックアップ３４７を駆動するための信号を出力する。また、データ変復調器３４２は、光ピックアップ３４７からの信号に所定の復調処理を施して、エラー訂正器３４１に復調信号として出力する。
【００３７】
磁界変調ドライバ３４３は、記録時には入力された信号に応じて磁界ヘッド３４４を駆動して光ディスク３７０に磁界を印加する。光ピックアップ３４７は、記録時には記録用のレーザービームを光ディスク３７０に照射して、光ディスク３７０に信号を記録する。また、光ピックアップ３４７は、再生時には再生用のレーザービームを光ディスク３７０に照射して、光ディスク３７０から反射されたビーム量から電気信号に光電変換して、再生信号を取得する。これらの動作は、システム制御部３３９からの要求に応じて、ドライブ制御部３４９が、サーボ回路３４５に要求を出してディスクドライブ全体の制御を行う。サーボ回路３４５は、光ピックアップ３４７のディスク径方向の移動のサーボ、トラッキングサーボ、フォーカスサーボを制御し、また、モーター３４６のスピンドルサーボを制御する。
【００３８】
なお、上述の構成例では、磁界変調を行う光磁気ディスクを想定しているが、相変化ディスクの場合でも基本的な構成は同様である。
【００３９】
図２は、本発明の実施の形態の映像記録装置３００の記録対象としての光ディスクにおける映像ファイルの記録状態の一例を示す図である。光ディスク３７１は、その記録領域３７２および３７３上に映像ファイルを記録する。記録形式の一つとして、例えばＱｕｉｃｋＴｉｍｅファイルフォーマットでは、ビデオデータおよびオーディオデータの実データをメディアデータアトム（タイプ名：'ｍｄａｔ'）に保持して、その管理情報をムービーアトム（タイプ名：'ｍｏｏｖ'）に保持する。
【００４０】
これらメディアデータアトムおよびムービーアトムは１つのファイル内に閉じて格納されていてもよく、また、ムービーアトムが他のファイル中のメディアデータアトムを参照するようにしてもよい。例えば、記録領域３７２に記録されたファイルのように、ムービーアトム３８１とメディアデータアトム３８２が一緒に格納されているファイルは、自己内包型ファイルと呼ばれる。一方、記録領域３７３に記録されたファイルのように、他のファイル中のメディアデータアトム３８２を参照するムービーアトム３８３が格納されているファイルは、外部参照型ファイルと呼ばれる。
【００４１】
メディアデータアトム３８２には、例えばMPEG1 Audio Layer2に基づく圧縮符号化方式によって符号化されたオーディオデータおよびMPEG2 Video規定に従う圧縮符号化方式によって符号化された画像データが格納される。符号化方式はこれらに限定されるものではなく、例えばMotion JPEGやMotion JPEG2000、MPEG4やAVC（Advanced Video Coding：MPEG4-part10）、オーディオならDolby AC3やATRACなどでも良く、また、圧縮符号化が施されていないリニアデータを格納することも可能である。
【００４２】
図３は、ＱｕｉｃｋＴｉｍｅファイルフォーマットにおけるムービーアトムの構成例を示す図である。メディアデータアトム（'ｍｄａｔ'）の管理情報であるムービーアトム（'ｍｏｏｖ'）５００は、ムービーヘッダアトム（'ｍｖｈｄ'）５１０と、ユーザデータアトム（'ｕｄｔａ'）５２０と、ビデオのトラックアトム５４０と、オーディオのトラックアトム５９０等から構成される。
【００４３】
ムービーヘッダアトム５１０は、ムービーアトム５００のヘッダ情報を保持する部分であり、ムービー全体の特徴を示す。例えば、ムービー全体の期間や時間スケール、作成日等を項目として含む。
【００４４】
ユーザデータアトム５２０は、ユーザにより定義された任意の情報を含む。例えば、ムービーのウィンドウ位置や再生方法、作成情報等を保持することができる。このユーザデータアトム５２０は、ムービーユーザデータ５３０をリスト形式により保持する。
【００４５】
トラックアトム（'ｔｒａｋ'）は、サウンド、ビデオ、テキストといった異なるタイプのデータをそれぞれ別のトラックにより格納するものであり、この図３では、ビデオのトラックアトム５４０として、トラックヘッダアトム（'ｔｋｈｄ'）５５０と、エディットアトム（'ｅｄｔｓ'）５６０と、メディアアトム（'ｍｄｉａ'）５８０とを含んで構成される。また、オーディオのトラックアトム５９０については省略されているが、ビデオの場合と同様の構成を備えて構成される。
【００４６】
トラックヘッダアトム５５０は、トラックアトム５４０のヘッダ情報を保持する部分であり、そのトラックの特徴を示す。例えば、ビデオのピクセル数やサウンドの音量、作成日等を項目として含む。
【００４７】
エディットアトム５６０は、トラックの編集情報をエディットリストアトム（'ｅｌｓｔ'）５７０として保持する。このエディットアトム５６０については、図４により詳述する。
【００４８】
メディアアトム５８０は、そのトラックで実際に用いられる実データに関する情報を格納する。すなわち、メディアアトム５８０は、メディア全体に関する情報、メディアデータの取扱いに関する情報、メディアの構成に関する情報等を格納する。実データはサンプル（sample）と呼ばれる最小単位に分かれており、このサンプルを任意の個数分集めたものがチャンク（chunk）と呼ばれる。メディアアトム５８０では、サンプルのサイズや、チャンクの先頭格納場所、各サンプルの表示時間等が格納される。
【００４９】
図４は、ＱｕｉｃｋＴｉｍｅファイルフォーマットにおけるエディットアトムの構成例を示す図である。図４（ａ）のように、エディットアトム５６０は、エディットアトム５６０の大きさを示すサイズ５６１と、エディットアトムであることを示すタイプ５６２と、エディットリストアトム５７０とから構成される。
【００５０】
エディットリストアトム５７０は、エディットリストアトム５７０の大きさを示すサイズ５７１と、エディットリストアトムであることを示すタイプ５７２と、エディットリストアトムのバージョン５７３と、未使用のフラグ５７４と、エディットリストテーブル５７６と、エディットリストテーブル５７６のエントリ数５７５とから構成される。
【００５１】
エディットリストテーブル５７６はエントリ数５７５により示される数のエントリから構成される。図４（ｂ）のようにエディットリストテーブル５７６の各エントリは、トラック期間５７６１と、メディアタイム５７６２と、メディアレート５７６３とから構成される。トラック期間５７６１は、対応する編集単位の期間を示す。メディアタイム５７６２は、対応する編集単位のメディアデータアトムにおける開始時刻を示す。なお、このメディアタイム５７６２が「−１」を示している場合には、対応する編集単位はメディアデータアトムに存在しないことを意味する。メディアレート５７６３は、再生の際の時間比率を示すものであり、メディアデータアトムにおける時間軸と編集後の時間軸とで再生時間が変わらない場合には「１．０」を示すことになる。
【００５２】
図５は、本発明の実施の形態における映像記録装置３００の機能構成の一例を示す図である。この機能構成では、映像記録装置３００は、ユーザインターフェース１１０と、マーク要求部１２０と、マーク登録部１３０と、エフェクト処理部１４０と、エディットリスト作成部１５０と、マークテーブル７００と、エディットリストテーブル５７６とを備える。
【００５３】
ユーザインターフェース１１０は、ユーザに対する表示を行い、または、ユーザからの入力を受け付ける。例えば、ユーザ入力ボタン３９０や、（図示しない）ディスプレイ等がこれに相当する。
【００５４】
マーク要求部１２０は、映像の記録の際にマークの登録を要求する。このマークとは、映像に付随する目印（区切り位置）であり、映像記録後の編集などの際に利用されるものである。マーク要求部１２０は、さらに指示取得部１２１とイベント取得部１２２とを備える。
【００５５】
指示取得部１２１は、ユーザインターフェース１１０を介してユーザからの指示を取得して、そのユーザからの指示に従ってマークの登録を要求する。このユーザからの指示としては、例えば、マーク要求ボタンが押下された等のユーザによる明示的な指示や、記録開始ボタンまたは記録停止ボタンが押下された等の黙示的な指示が含まれる。また、イベント取得部１２２は、映像の記録の際に発生した所定のイベントを取得して、そのイベントに従ってマークの登録を要求する。この所定のイベントとしては、例えば、ユーザによるズーム操作により所定のズーム範囲に収まった場合や、オートフォーカスにより所定のピント範囲に収まった場合等のイベントが含まれる。
【００５６】
マーク登録部１３０は、マーク要求部１２０からのマーク登録要求に基づいてマークテーブル７００にマークを登録する。このマークテーブル７００は、映像記録の際の時間的位置をマークとして保持する。例えば、記録開始位置を時刻ゼロとして、記録開始位置からの相対時刻を保持することができる。
【００５７】
エフェクト処理部１４０は、マークテーブル７００に保持されたマークによって互いに挟まれる映像部分を編集単位として、エフェクト処理を施す。その際、エフェクト処理部１４０は、ユーザインターフェース１１０を介して編集単位をユーザに示して、エフェクト処理の内容を指定するよう促す。そして、指定されたエフェクト処理の内容をムービーアトムのエフェクトトラックに格納する。
【００５８】
なお、このエフェクト処理部１４０における処理は、必ずしもこの段階で行う必要はなく、エディットリスト作成部１５０によってエディットリストテーブル５７６が作成された後であっても行うことができる。エディットリストテーブル５７６作成後の編集処理については既知の手順と同様であるので、ここでは説明を省略する。
【００５９】
エディットリスト作成部１５０は、マークテーブル７００に保持されたマークによって定められる映像部分を編集単位としてエディットリストテーブル５７６を生成する。エディットリストテーブル５７６の各エントリは図４（ｂ）により説明した通りであり、エディットリスト作成部１５０は、マークテーブル７００に保持されたマークに基づいて各エントリのトラック期間５７６１、メディアタイム５７６２およびメディアレート５７６３を出力する。
【００６０】
なお、これらマーク要求部１２０、マーク登録部１３０、エフェクト処理部１４０、および、エディットリスト作成部１５０は、図１の映像記録装置３００におけるシステム制御部３３９として実現することができる。また、マークテーブル７００は、図１の映像記録装置３００におけるメモリ３３７に格納することができる。また、エディットリストテーブル５７６は、ムービーアトム５００の一部として光ディスク３７０に格納することができる。
【００６１】
図６は、本発明の実施の形態における映像記録装置３００の外観構成の一例を示す図である。この外観構成には、レンズ部３１０と、ディスクドライブ３４０と、ズーム広角ボタン３９１と、ズーム望遠ボタン３９２と、記録開始ボタン３９３と、再生開始ボタン３９４と、停止ボタン３９５と、マークボタン３９６とが示されている。
【００６２】
レンズ部３１０は、上述のように被写体からの光を受光するものであり、最も外側のレンズが外観表面に表れている。ディスクドライブ３４０は、光ディスク３７０を装着できるようになっており、上述の光ピックアップ３４７等を介して光ディスク３７０の読み書きが行われる。
【００６３】
ボタン３９１乃至３９６は、図１におけるユーザ入力ボタン３９０に相当するものであり、機種毎に各種のボタンを設けることができる。ズーム広角ボタン３９１およびズーム望遠ボタン３９２は、ズームの調整に用いられるボタンであり、ズーム広角ボタン３９１が押下されるとズームレンズ３１１が広角方向に移動し、ズーム望遠ボタン３９２が押下されるとズームレンズ３１１が望遠方向に移動する。
【００６４】
記録開始ボタン３９３は、ユーザが記録開始を指示する際に押下される。再生開始ボタン３９４は、ユーザが再生開始を指示する際に押下される。停止ボタン３９５は、ユーザが記録または再生の停止を指示する際に押下される。マークボタン３９６は、ユーザがマークの登録を指示する際に押下される。
【００６５】
図７は、本発明の実施の形態におけるマークテーブル７００の構成例を示す図である。このマークテーブル７００は、マーク時刻テーブル７１０と、最終エントリポインタ７２０とから構成される。このマークテーブル７００は、図１の映像記録装置３００において、メモリ３３７に保持される。
【００６６】
マーク時刻テーブル７１０は、マークが登録された時刻を各エントリに保持する。例えば、記録開始位置を時刻ゼロとして、記録開始位置からの相対時刻を順次保持することができる。マーク時刻テーブル７１０のエントリー数は任意であり、その最終エントリを最終エントリポインタ７２０が指すようになっている。
【００６７】
図８は、本発明の実施の形態におけるマークテーブル７００およびエディットリストテーブル５７６の使用例を示す図である。図８（ａ）では、時刻「０」分に記録が開始し（Ａ）、時刻「１」分に１回目のマーク要求がされている（Ｂ）。その後、時刻「４」分に２回目のマーク要求がされ（Ｃ）、時刻「７」分に３回目のマーク要求がされている（Ｄ）。そして、時刻「９」分に記録が停止している（Ｅ）。
【００６８】
図８（ｂ）は、これら（Ａ）乃至（Ｅ）についてマーク登録がされたマークテーブル７００の例である。このマークテーブル７００には、（Ａ）乃至（Ｅ）のそれぞれについて対応する時刻が保持される。これらのマーク（Ａ）乃至（Ｅ）によって、メディアデータは、図８（ａ）に示すように、ムービーイメージとして（１）乃至（４）の編集単位に区切られる。
【００６９】
図８（ｃ）は、これら（１）乃至（４）の編集単位を定めるエディットリストテーブル５７６の例である。トラック期間５７６１には、対応する編集単位の時間長がそれぞれ格納されている。メディアタイム５７６２には、対応する編集単位のメディア時間スケール上の開始時刻がそれぞれ格納されている。また、メディアレート５７６３としては、時間スケールに変化はないので全てに「１．０」が格納されている。
【００７０】
このように、映像記録の際にマークテーブル７００に登録されたマークに基づいて、エディットリストテーブル５７６を作成してムービーアトム５００に格納することにより、ＱｕｉｃｋＴｉｍｅファイルフォーマットの互換性を維持しながら記録中の映像にマークを付与することができる。
【００７１】
なお、図８の例では記録の開始から停止までの間の映像をメディアデータに格納しているが、スタンバイモードにおいて記録開始ボタン３９３が押下される直前の所定期間（例えば、２秒程度）の映像を自動的にメディアデータに格納し（プリレックと呼ぶ。）、または記録中に停止ボタン３９５が押下された直後の所定期間（例えば、２秒程度）の映像を自動的にメディアデータに格納する（ポストレックと呼ぶ。）ようにしてもよい。この場合、プリレックおよびポストレックは、編集の際のいわゆる"のり代"として用いることができる。
【００７２】
図９は、本発明の実施の形態におけるエフェクト処理部１４０の処理内容の一例について示す図である。図９（ａ）は、エフェクト処理部１４０がユーザに対して表示する画面例であり、マークによって区切られた編集単位毎にその代表画面８１０が表示されている。
【００７３】
この代表画面８１０の中からユーザが対象となる編集単位を指定すると、その編集単位に対してエフェクト処理の内容８２０を指定できる。この図９（ａ）の例では、エフェクト種別として「フェードイン」が指定され、そのパラメータとして「黒」が指定されている。
【００７４】
なお、ＱｕｉｃｋＴｉｍｅファイルフォーマットにおいて利用可能なエフェクト種別は、エンボス加工などのフィルター効果、ワイプなどのトランジション効果、そして、水面表現などのジェネレータ効果の３種類に分類される。そして、それぞれのエフェクト種別についてパラメータが指定される。
【００７５】
図９（ｂ）は、映像ファイルにおける格納イメージを示す図である。上述の通り、映像ファイルの内容は、実データであるメディアデータアトム３８７と、その管理情報であるムービーアトム３８４に分けることができる。メディアデータアトム３８７は、メディアデータ３８８やエフェクトパラメータ群３８９等を格納する。ムービーアトム３８４は、ビデオトラック３８５やエフェクトトラック３８６等を格納する。上述のエフェクト処理の内容は、このエフェクトトラック３８６に格納される。このエフェクトトラック３８６は、エフェクトデスクリプション（effect description）およびインプットマップ（input map）から構成される。
【００７６】
次に本発明の実施の形態における映像記録装置３００の動作について図面を参照して説明する。
【００７７】
図１０は、本発明の実施の形態における映像記録装置３００の処理手順の一例を示す図である。まず、マーク要求部１２０はユーザの入力状態を調べ（ステップＳ９１１）、記録開始要求が発行された場合には（ステップＳ９１２）、マークの登録を要求する。マーク登録部１３０はこれに応答して、マークテーブル７００にマークとして記録開始時刻を登録する（ステップＳ９１３）。
【００７８】
記録開始後は、ムービーデータが光ディスク３７０に順次記録され（ステップＳ９１４）、その管理情報がムービーアトム５００としてメモリ３３７に保持されていく（ステップＳ９１５）。その間、マーク要求部１２０はユーザの入力状態を調べ（ステップＳ９１６）、マーク要求が発行された場合には（ステップＳ９１７）、マークの登録を要求する。マーク登録部１３０はこれに応答して、マークテーブル７００にマークを登録する（ステップＳ９１８）。また、マーク要求部１２０は停止要求が発行された場合には（ステップＳ９１９）、マークの登録を要求する。マーク登録部１３０はこれに応答して、マークテーブル７００にマークとして記録停止時刻を登録する（ステップＳ９２１）。
【００７９】
その後、エフェクト処理部１４０はユーザからの指示に従ってムービーデータにエフェクト処理を施す（ステップＳ９２２）。そして、エディットリスト作成部１５０は、マークテーブル７００に基づいてエディットリストテーブル５７６を作成する（ステップＳ９２３）。このエディットリストテーブル５７６を含む管理情報は、その後、光ディスク３７０に記録される（ステップＳ９２４）。
【００８０】
図１１は、本発明の実施の形態におけるユーザ入力処理の手順の一例を示す図である。このユーザ入力処理は、図１０のステップＳ９１１またはＳ９１６に相当する。マーク要求部１２０はユーザ入力ボタン３９０の状態を取得し（ステップＳ９３１）、その状態に応じて以下の処理を行う（ステップＳ９３２）。すなわち、指示取得部１２１は、記録開始ボタン３９３が押下された場合には記録開始要求を発行する（ステップＳ９３３）。また、再生開始ボタン３９４が押下された場合には再生開始要求を発行する（ステップＳ９３４）。また、停止ボタン３９５が押下された場合には停止要求を発行する（ステップＳ９３５）。また、マークボタン３９６が押下された場合にはマーク要求を発行する（ステップＳ９３６）。
【００８１】
また、イベント取得部１２２は、イベントを取得し（ステップＳ９３７）、所定のイベントが取得された場合には（ステップＳ９３８）、マーク要求を発行する（ステップＳ９３９）。
【００８２】
図１２は、本発明の実施の形態におけるエフェクト処理の手順の一例を示す図である。このエフェクト処理は、図１０のステップＳ９２２に相当する。エフェクト処理部１４０は、マークテーブル７００を読み出して（ステップＳ９４１）、マークに区切られた編集単位を編集区間として表示する（ステップＳ９４２）。
【００８３】
ユーザが編集区間を選択すると、エフェクト処理部１４０はその選択を受け付ける（ステップＳ９４３）。また、ユーザがエフェクト種別やそのパラメータを選択すると、エフェクト処理部１４０はその選択を受け付ける（ステップＳ９４４）。そして、エフェクト処理部１４０はそのエフェクト処理の内容を管理情報として保持する（ステップＳ９４５）。ユーザが他の編集区間についてもエフェクト処理の選択を行う場合には再びステップＳ９４３以降の処理を繰り返し、そうでなければ処理を終了する（ステップＳ９４６）。
【００８４】
図１３は、本発明の実施の形態におけるエディットリストテーブル作成処理の手順の一例を示す図である。このエディットリストテーブル作成処理は、図１０のステップＳ９２３に相当する。ここでは、マークテーブル７００またはエディットリストテーブル５７６のエントリ番号を示す変数をｉとし、マークテーブル７００の各エントリの内容をＭ（ｉ）として表す。また、マークテーブル７００のエントリ総数を示す値をＮとして表す。
【００８５】
まず、変数ｉを「１」に初期化した後で（ステップＳ９５１）、エディットリストテーブル５７６の第ｉエントリのトラック期間５７６１を算出する（ステップＳ９５２）。すなわち、マークテーブル７００の第（ｉ＋１）エントリの値から第ｉエントリの値を減じて、ムービー時間スケールの単位に換算することによりトラック期間５７６１を算出する。
【００８６】
そして、エディットリストテーブル５７６の第ｉエントリのメディアタイム５７６２を算出する（ステップＳ９５３）。すなわち、マークテーブル７００の第ｉエントリの値をメディア時間スケールの単位に換算することによりメディアタイム５７６２を算出する。なお、上述のプリレックを行った結果、メディア時間スケール上でずれが生じる場合には、マークテーブル７００の各値からプリレックに要した時間を差し引いた後でメディア時間スケールの単位に換算することによりメディアタイム５７６２を算出する。
【００８７】
また、エディットリストテーブル５７６の第ｉエントリのメディアレート５７６３には、「１．０」を与える（ステップＳ９５４）。そして、このようにして算出されたトラック期間５７６１、メディアタイム５７６２およびメディアレート５７６３エディットリストテーブル５７６の第ｉエントリとして追加する（ステップＳ９５５）。その後、変数ｉに「１」を加えて（ステップＳ９５６）、"ｉ＋１"の値がマークテーブル７００のエントリ総数Ｎを超えるまで、ステップＳ９５２以降の処理を繰り返す（ステップＳ９５７）。
【００８８】
次に本発明の実施の形態における映像記録装置３００のイベント取得処理の具体例について図面を参照して説明する。なお、このイベント取得処理は、図１１のステップＳ９３７に相当する。
【００８９】
図１４は、本発明の実施の形態におけるイベント取得処理の一例として、所定のズーム範囲に収まった旨のイベントを取得する例を示す図である。記録開始時にはズームレンズ３１１の位置が望遠側にあったと仮定する。ユーザがズーム広角ボタン３９１を押下すると、ズームレンズ３１１の位置は次第に広角方向に移動し、望遠限界を超えてマーク許可領域に入る。このマーク許可領域は予め定められたズームレンズ３１１の位置を意味する。このマーク許可領域は、その望遠限界と広角限界との間に挟まれた領域になる。ズームレンズ３１１の位置が、このマーク許可領域にあるとき、未だマーク要求を行ってなく、かつ、ズーム広角ボタン３９１が押下されなくなってから所定期間Ｔkeep（例えば、２秒程度）経過していることを条件として、イベント取得部１２２はイベントを取得したものとしてマーク登録の要求を行う。
【００９０】
なお、ここではズーム広角ボタン３９１を例に挙げているが、ズーム望遠ボタン３９２の操作についても同様の処理を行うことができる。
【００９１】
図１５は、本発明の実施の形態におけるイベント取得処理の一例として、所定のズーム範囲に収まった旨のイベントを取得する例の処理手順を示す図である。まず、この処理の前提として、ズーム操作の際にマークを付与することをユーザが許可しているか否かが調べられる（ステップＳ９６１）。もし、ユーザがそのような処理を許可していない場合には、以下の処理は行われない。
【００９２】
イベント取得部１２２は、ユーザ入力ボタン３９０の状態を取得して（ステップＳ９６２）、もし、ズーム広角ボタン３９１が押下されていれば、その後の処理は行われない（ステップＳ９６３）。一方、ズーム広角ボタン３９１が押下されていなければ、イベント取得部１２２は、カメラ制御部３２９からズームパラメータを取得する（ステップＳ９６４）。そして、ズームレンズ３１１の位置がマーク許可領域になければ、その後の処理は行われない（ステップＳ９６５）。
【００９３】
なお、上述のズームパラメータは、例えばズームの広角限界のとき「１００」、ズームの望遠限界のとき「０」となるような値である。一方、例えば、マーク許可領域の広角限界を「１００」、マーク許可領域の望遠限界を「２０」と定めておけば、ズームレンズ３１１の位置がマーク許可領域にあるか否かを判断することができる。
【００９４】
ステップＳ９６５において、ズームレンズ３１１の位置がマーク許可領域にあれば、未だマーク要求を行ってなく、かつ、ズーム広角ボタン３９１が押下されなくなってから所定期間Ｔkeep経過していることを条件として（ステップＳ９６６）、イベント取得部１２２はイベントを取得したものとしてマーク登録の要求を行う（ステップＳ９６７）。このようにして、ズーム広角ボタン３９１が押下されてマーク許可領域に入ると、マークテーブル７００にマークが付与される。
【００９５】
図１６は、本発明の実施の形態におけるイベント取得処理の他の例として、オートフォーカスにより所定のピント範囲に収まった旨のイベントを取得する例を示す図である。記録開始時にはフォーカスレンズ３１２の位置が近距離側にあったと仮定する。オートフォーカスの機能が働き始めると、フォーカスレンズ３１２の位置は次第に遠距離方向に移動し、ピント領域に入る。このピント領域に入った後、未だマーク要求を行ってなく、かつ、このピント領域に入ってから所定期間Ｔkeep（例えば、２秒程度）経過していることを条件として、イベント取得部１２２はイベントを取得したものとしてマーク登録の要求を行う。
【００９６】
図１７は、オートフォーカス機能を実現するための処理手順を示す図である。この処理手順では、同一アングルの画像はピントが合っている画像ほどコントラストが大きく、高周波成分が多い傾向があるという特徴を利用して、オートフォーカス機能を実現している。
【００９７】
まず、フォーカスレンズ３１２を所定の方向に少し移動させる（ステップＳ９７１）。そして、そのときの入力フレーム画像に対してハイパスフィルター（ＨＰＦ：High Pass Filter）の演算を施す（ステップＳ９７２）。その演算の結果、その中の最大値を評価値とする（ステップＳ９７３）。
【００９８】
そして、今回ステップＳ９７３で得られた評価値と前回の評価値とを比較して、前回の評価値の方が大きければ（ステップＳ９７４）、フォーカスレンズ３１２の移動方向を逆方向にする（ステップＳ９７５）。そして、ステップＳ９７１以降の処理を繰り返す。
【００９９】
これによって、評価値が大きくなるようにフォーカスレンズが３１２が移動し、高周波成分のより多い画像が得られるようになる。すなわち、オートフォーカス機能により所定のピント領域に収まる。この処理手順は、オートフォーカス機能が有効にされている限り、常に動作している。
【０１００】
図１８は、本発明の実施の形態におけるイベント取得処理の他の例として、オートフォーカスにより所定のピント範囲に収まった旨のイベントを取得する例の処理手順を示す図である。まず、この処理の前提として、オートフォーカスの際にマークを付与することをユーザが許可しているか否かが調べられる（ステップＳ９８１）。もし、ユーザがそのような処理を許可していない場合には、以下の処理は行われない。
【０１０１】
イベント取得部１２２は、カメラ制御部３２９からフォーカスパラメータを取得する（ステップＳ９８２）。そして、そのフォーカスパラメータによりピント範囲に収まっていることが確認された場合、ピント範囲に収まってから未だマーク要求を行ってなく、かつ、ピント範囲に収まってから所定期間Ｔkeep経過していることを条件として（ステップＳ９８３）、イベント取得部１２２はイベントを取得したものとしてマーク登録の要求を行う（ステップＳ９８４）。このようにして、オートフォーカス機能が有効にされている状態でピントが合うと、マークテーブル７００にマークが付与される。
【０１０２】
このように、本発明の実施の形態によれば、映像記録の際にマークテーブル７００にマークを登録しておいて、このマークに基づいてエディットリストテーブル５７６を作成してムービーアトム５００に格納することにより、ＱｕｉｃｋＴｉｍｅファイルフォーマットの互換性を維持しながら記録中の映像にマークを付与することができる。このマークは、編集の際に用いられる他、飛ばし再生などでも用いることができる。
【０１０３】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【０１０４】
すなわち、請求項１において、区切り位置保持手段は例えばマークテーブル７００に対応する。また、区切り位置登録要求手段は例えばマーク要求部１２０に対応する。また、区切り位置登録手段は例えばマーク登録部１３０に対応する。また、編集単位生成手段は例えばエディットリスト作成部１５０に対応する。
【０１０５】
また、請求項２において、指示取得手段は例えば指示取得部１２１に対応する。
【０１０６】
また、請求項３において、イベント取得手段は例えばイベント取得部１２２に対応する。
【０１０７】
また、請求項９において、映像効果処理手段は例えばエフェクト処理部１４０に対応する。
【０１０８】
また、請求項１２または１４において、区切り位置保持手段は例えばマークテーブル７００に対応する。また、記録開始の際に前記区切り位置を区切り位置保持手段に登録する手順は例えばステップＳ９１３に対応する。また、ユーザからの指示を取得した際に区切り位置を区切り位置保持手段に登録する手順は例えばステップＳ９１８に対応する。また、記録停止の際に区切り位置を区切り位置保持手段に登録する手順は例えばステップＳ９２１に対応する。また、区切り位置保持手段に保持された区切り位置によって定められる映像部分を編集単位として生成する手順は例えばステップＳ９２３に対応する。
【０１０９】
また、請求項１３または１５において、区切り位置保持手段は例えばマークテーブル７００に対応する。また、記録開始の際に前記区切り位置を区切り位置保持手段に登録する手順は例えばステップＳ９１３に対応する。また、所定のイベントを取得した際に前記区切り位置を前記区切り位置保持手段に登録する手順は例えばステップＳ９１８に対応する。また、記録停止の際に区切り位置を区切り位置保持手段に登録する手順は例えばステップＳ９２１に対応する。また、区切り位置保持手段に保持された区切り位置によって定められる映像部分を編集単位として生成する手順は例えばステップＳ９２３に対応する。
【０１１０】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【産業上の利用可能性】
【０１１１】
本発明の活用例として、例えば映像記録装置によって記録中の映像にマークを付与する際に本発明を適用することができる。
【図面の簡単な説明】
【０１１２】
【図１】本発明の実施の形態における映像記録装置３００の全体構成例を示す図である。
【図２】本発明の実施の形態の映像記録装置３００の記録対象としての光ディスクにおける映像ファイルの記録状態の一例を示す図である。
【図３】ＱｕｉｃｋＴｉｍｅファイルフォーマットにおけるムービーアトムの構成例を示す図である。
【図４】ＱｕｉｃｋＴｉｍｅファイルフォーマットにおけるエディットアトムの構成例を示す図である。
【図５】本発明の実施の形態における映像記録装置３００の機能構成の一例を示す図である。
【図６】本発明の実施の形態における映像記録装置３００の外観構成の一例を示す図である。
【図７】本発明の実施の形態におけるマークテーブル７００の構成例を示す図である。
【図８】本発明の実施の形態におけるマークテーブル７００およびエディットリストテーブル５７６の使用例を示す図である。
【図９】本発明の実施の形態におけるエフェクト処理部１４０の処理内容の一例について示す図である。
【図１０】本発明の実施の形態における映像記録装置３００の処理手順の一例を示す図である。
【図１１】本発明の実施の形態におけるユーザ入力処理の手順の一例を示す図である。
【図１２】本発明の実施の形態におけるエフェクト処理の手順の一例を示す図である。
【図１３】本発明の実施の形態におけるエディットリストテーブル作成処理の手順の一例を示す図である。
【図１４】本発明の実施の形態におけるイベント取得処理の一例として、所定のズーム範囲に収まった旨のイベントを取得する例を示す図である。
【図１５】本発明の実施の形態におけるイベント取得処理の一例として、所定のズーム範囲に収まった旨のイベントを取得する例の処理手順を示す図である。
【図１６】本発明の実施の形態におけるイベント取得処理の他の例として、オートフォーカスにより所定のピント範囲に収まった旨のイベントを取得する例を示す図である。
【図１７】オートフォーカス機能を実現するための処理手順を示す図である。
【図１８】本発明の実施の形態におけるイベント取得処理の他の例として、オートフォーカスにより所定のピント範囲に収まった旨のイベントを取得する例の処理手順を示す図である。
【符号の説明】
【０１１３】
１１０  ユーザインターフェース
１２０  マーク要求部
１２１  指示取得部
１２２  イベント取得部
１３０  マーク登録部
１４０  エフェクト処理部
１５０  エディットリスト作成部
３００  映像記録装置
３１０  レンズ部
３１１  ズームレンズ
３１２  フォーカスレンズ
３１５  モーター
３１９  モータードライバ
３２１  撮像素子
３２２  アナログ処理器
３２３  Ａ／Ｄ変換器
３２４  デジタル処理器
３２５  タイミング生成器
３２９  カメラ制御部
３３１  ビデオ符号器
３３２  オーディオ符号器
３３３  ファイル生成器
３３４  ファイル復号器
３３５  ビデオ復号器
３３６  オーディオ復号器
３３７  メモリ
３３８  メモリコントローラ
３３９  システム制御部
３４０  ディスクドライブ
３４１  エラー訂正器
３４２  データ変復調器
３４３  磁界変調ドライバ
３４４  磁界ヘッド
３４５  サーボ回路
３４６  モーター
３４７  光ピックアップ
３４９  ドライブ制御部
３７０  光ディスク
３９０  ユーザ入力ボタン
３９１  ズーム広角ボタン
３９２  ズーム望遠ボタン
３９３  記録開始ボタン
３９４  再生開始ボタン
３９５  停止ボタン
３９６  マークボタン
【図１】
2005303943.tif 000003
【図２】
2005303943.tif 000004
【図３】
2005303943.tif 000005
【図４】
2005303943.tif 000006
【図５】
2005303943.tif 000007
【図６】
2005303943.tif 000008
【図７】
2005303943.tif 000009
【図８】
2005303943.tif 000010
【図９】
2005303943.tif 000011
【図１０】
2005303943.tif 000012
【図１１】
2005303943.tif 000013
【図１２】
2005303943.tif 000014
【図１３】
2005303943.tif 000015
【図１４】
2005303943.tif 000016
【図１５】
2005303943.tif 000017
【図１６】
2005303943.tif 000018
【図１７】
2005303943.tif 000019
【図１８】
2005303943.tif 000020